(57)【要約】【課題】赤外線のエネルギー分布を所望の状態にすることができ、赤外線を効果的に毛髪に照射することができる毛髪処理装置を提供する。【解決手段】毛髪処理装置１は、断面が弧状に湾曲した反射部２２の凹面２３側に、赤外線照射部２１が配置され、面源部３１が、Ｚ軸に並行に、かつ、Ｙ軸と直交して配置され、一方の放射面３２ａが、凹面２３における一方の凹内面３３ａと対面し、他方の放射面３２ｂが、凹面２３における他方の凹内面３３ｂと対面している。【選択図】図４
2020044041.tif 000002
【特許請求の範囲】
【請求項１】
被施術者の毛髪に照射される赤外線を放射する赤外線放射部、および、赤外線を毛髪に向けて反射させる反射部が備えられた施術本体部と、
前記施術本体部を支持して被施術者の頭部の近傍に配置させる支持部と、を有し、
前記反射部が、弧状に湾曲した形状であり、凹面側に前記赤外線放射部が配置され、
前記赤外線放射部が、扁平であり、当該赤外線放射部の両放射面が前記反射部と対面した、
ことを特徴とする毛髪処理装置。
【請求項２】
前記放射面から放射して前記反射部で反射した赤外線が、被施術者の頭部よりも手前において交差し、当該交差部から被施術者の頭部に向けて拡散した、
ことを特徴とする請求項１に記載された毛髪処理装置。
【請求項３】
前記反射部における被施術者側の端部と、被施術者の頭部との間隔が、約５０から３００ｍｍである、
ことを特徴とする請求項１または請求項２に記載された毛髪処理装置。
【請求項４】
直交するＹ軸とＺ軸とで表される座標系において、前記反射部の断面形状が、式１で表される、
ことを特徴とする請求項１から請求項３のいずれか１項に記載された毛髪処理装置。
［式１］
【数１】
2020044041.tif 000005
ｒ1：曲率半径
ｋ：コーニック係数
Ｃ：１／ｒ1
【請求項５】
曲率半径が、ｒ1＝１４から１９、
コーニック係数が、ｋ＝−０．４から−０．９である、
ことを特徴とする請求項４に記載された毛髪処理装置。
【請求項６】
前記施術本体部が、前記支持部に対して被施術者の頭部の周囲を回転する、
ことを特徴とする請求項１から請求項５のいずれか１項に記載された毛髪処理装置。
【請求項７】
前記施術本体部が長手であり、この施術本体部の一方の端部が前記支持部に連結された、
ことを特徴とする請求項１から請求項６のいずれか１項に記載された毛髪処理装置。
【請求項８】
前記施術本体部が、開口部が形成された本体カバー部と、この本体カバー部に収容された送風部とを有し、
前記開口部に、前記凹面側が外側に向けられた前記反射部、および、前記送風部から毛髪に向けて送風される風が通る吹出し口が備えられた、
ことを特徴とする請求項１から請求項７のいずれか１項に記載された毛髪処理装置。
【発明の詳細な説明】
【技術分野】
【０００１】
本発明は、毛髪に赤外線を照射する際に用いられる毛髪処理装置に関するものである。
【背景技術】
【０００２】
従来、理美容施設では、例えば、カラー、パーマなどの施術が行われるところ、これらの施術の際、薬剤の効果を促進させるために、被施術者の毛髪に対して赤外線が照射される場合がある。例えば、下記特許文献１に記載された毛髪処理促進装置によれば、赤外線ヒーターを有する長手の部材が、被施術者の頭部の周囲を回転し、赤外線が毛髪に照射される。赤外線ヒーターは、例えばニクロム線などであり、反射板と共に用いられる。
【先行技術文献】
【特許文献】
【０００３】
【特許文献１】特開平４−１２９５０３号公報
【発明の概要】
【発明が解決しようとする課題】
【０００４】
赤外線ヒーターの形状は様々であるが、棒状であれば、長手方向と交差する全方位に向けて赤外線が放射されるところ、反射板を介して反射した赤外線は、頭髪に向けて集光されるが、反射板を介さずに放射された赤外線は、頭髪に向けて拡散する。このように、従来の背外線ヒーターは、集光する赤外線と発散する赤外線とが交錯するため、赤外線のエネルギー分布が、所望の状態とならない場合がある。
【０００５】
本発明は、上記の実情に鑑みて提案されたものである。すなわち、赤外線のエネルギー分布を所望の状態にすることができ、赤外線を効果的に毛髪に照射することができる毛髪処理装置の提供を目的とする。
【課題を解決するための手段】
【０００６】
本発明に係る毛髪処理装置は、被施術者の毛髪に照射される赤外線を放射する赤外線放射部、および、赤外線を毛髪に向けて反射させる反射部が備えられた施術本体部と、前記施術本体部を支持して被施術者の頭部の近傍に配置させる支持部と、を有し、前記反射部が、弧状に湾曲した形状であり、凹面側に前記赤外線放射部が配置され、前記赤外線放射部が、扁平であり、当該赤外線放射部の両放射面が前記反射部と対面した、ことを特徴とする。
【０００７】
本発明に係る毛髪処理装置は、前記放射面から放射して前記反射部で反射した赤外線が、被施術者の頭部よりも手前において交差し、当該交差部から被施術者の頭部に向けて拡散した、ことを特徴とする。
【０００８】
本発明に係る毛髪処理装置は、前記反射部における被施術者側の端部と、被施術者の頭部との間隔が、約５０から３００ｍｍである、ことを特徴とする。
【０００９】
本発明に係る毛髪処理装置は、直交するＹ軸とＺ軸とで表される座標系において、前記反射部の断面形状が、式１で表される、ことを特徴とする。
［式１］
【数１】
2020044041.tif 000003
ｒ1：曲率半径
ｋ：コーニック係数
Ｃ：１／ｒ1
【００１０】
本発明に係る毛髪処理装置は、曲率半径が、ｒ1＝１４から１９、コーニック係数が、ｋ＝−０．４から−０．９である、ことを特徴とする。
【００１１】
本発明に係る毛髪処理装置は、前記施術本体部が、前記支持部に対して被施術者の頭部の周囲を回転する、ことを特徴とする。
【００１２】
本発明に係る毛髪処理装置は、前記施術本体部が長手であり、この施術本体部の一方の端部が前記支持部に連結された、ことを特徴とする。
【００１３】
本発明に係る毛髪処理装置は、前記施術本体部が、開口部が形成された本体カバー部と、この本体カバー部に収容された送風部とを有し、前記開口部に、前記凹面側が外側に向けられた前記反射部、および、前記送風部から毛髪に向けて送風される風が通る吹出し口が備えられた、ことを特徴とする。
【発明の効果】
【００１４】
本発明に係る毛髪処理装置は、被施術者の毛髪に照射される赤外線を放射する赤外線放射部、および、赤外線を毛髪に向けて反射させる反射部が備えられた施術本体部と、施術本体部を支持して被施術者の頭部の近傍に配置させる支持部とを有し、反射部が、弧状に湾曲した形状であり、凹面側に赤外線放射部が配置され、赤外線放射部が、扁平であり、当該赤外線放射部の両放射面が前記反射部と対面している。すなわち、扁平な赤外線照射部は、両放射面がいずれも反射部と対面しているため、放射面から放射されたほとんどの赤外線は、反射部で反射する。反射した赤外線は、毛髪に照射される。予め赤外線の反射角などを計算して反射部の曲面を設計することで、赤外線を所望の方向に集光させてネルギー分布を制御する。したがって、赤外線のエネルギー分布を所望の状態にすることができ、赤外線を効果的に毛髪に照射することができる。また、ほとんどの赤外線が反射部で反射するため、換言すれば、反射部を経ずに放射される赤外線の量が僅かである。すなわち、反射部の縁近傍において、反射部を経ずに放射される赤外線が僅かであれば、反射部の縁近傍に配置されたカバーなどの部材に直接照射される赤外線も僅かであるため、カバーなどへの熱の影響を抑えることができる。
【００１５】
本発明に係る毛髪処理装置は、放射面から放射して反射部で反射した赤外線が、被施術者の頭部よりも手前において交差し、当該交差部から被施術者の頭部に向けて拡散する。この構成により、交差部よりも頭部側に向けた赤外線の反射範囲を、反射部の幅よりも広くすることがでる。したがって、照射範囲に関わらず反射部の小型化が実現する。なお、反射部を利用した一般的な技術では、反射した赤外線を被照射部に向けて集光させる仕様であるため、反射部を大きくすることで照射範囲が広げられる。
【００１６】
本発明に係る毛髪処理装置は、反射部における被施術者側の端部と、被施術者の頭部との間隔が、約５０から３００ｍｍである。したがって、被施術者の頭部に対して、赤外線のエネルギー分布を所望の状態にすることができ、赤外線を効果的に毛髪に照射することができる。
【００１７】
本発明に係る毛髪処理装置は、直交するＹ軸とＺ軸とで表される座標系において、反射部の断面形状が、式１で表される（ｒ1：曲率半径、ｋ：コーニック係数、Ｃ：１／ｒ1）。この構成により、被施術者の頭部に対して、赤外線のエネルギー分布を所望の状態にするために、適切な反射部の形状が決定される。
【００１８】
本発明に係る毛髪処理装置は、曲率半径が、ｒ1＝１４から１９、コーニック係数が、ｋ＝−０．４から−０．９である。すなわち、曲率半径およびコーニック係数を調節して設計することで、被施術者の頭部に対して、赤外線のエネルギー分布を所望の状態にするために、適切な反射部の形状が決定される。
【００１９】
本発明に係る毛髪処理装置は、施術本体部が、支持部に対して被施術者の頭部の周囲を回転する。したがって、毛髪処理装置は、頭髪の全体に赤外線を斑なく照射することができる。
【００２０】
本発明に係る毛髪処理装置は、施術本体部が長手であり、この施術本体部の一方の端部が支持部に連結されている。したがって、毛髪処理装置は、長髪に対して斑なく赤外線を照射することができる。
【００２１】
本発明に係る毛髪処理装置は、施術本体部が、開口部が形成された本体カバー部と、この本体カバー部に収容された送風部とを有し、開口部に、凹面側が外側に向けられた反射部、および、送風部から毛髪に向けて送風される風が通る吹出し口が備えられている。この構成によって、反射部で反射した赤外線と、送風部からの風とが、共通の排出口である開口部を通って放出される。そのため、毛髪処理装置は、赤外線と風とを別々に一か所から毛髪に向けて放出することができる。
【図面の簡単な説明】
【００２２】
【図１】図１は、本発明の実施形態に係る毛髪処理装置が示され、（ａ）は右側面図、（ｂ）は正面図、（ｃ）は背面図である。
【図２】図２は、本発明の実施形態に係る毛髪処理装置における施術本体部の正面拡大図である。
【図３】図３は、本発明の実施形態に係る毛髪処理装置における施術本体部の断面が示され、図２におけるＡ−Ａ断面図である。
【図４】図４は、本発明の実施形態に係る毛髪処理装置における反射板の断面図である。
【図５】図５は、本発明の実施形態に係る毛髪処理装置における赤外線の照射の様子が示された概略図である。
【図６】図６は、本発明の実施形態に係る毛髪処理装置における赤外線の分布が示され、（ａ）はＹ軸方向放射度分布計算例の図、（ｂ）はＸ軸方向放射度分布計算例の図である。
【発明を実施するための形態】
【００２３】
以下は、毛髪処理装置の説明である。図１は、毛髪処理装置１の外観が示されている。以下の説明では、設置面に対して垂直な方向である鉛直方向が、上下方向であり、被施術者（図示省略）に向けられる側が正面方向であり、その反対側が背面方向である。
【００２４】
図１に示されているとおり、毛髪処理装置１は、設置面に自立する支持部２と、この支持部２の上端部に連結されて支持された施術本体部１５とを有している。
【００２５】
支持部２は、上下方向に縦長であり、上方部が鈍角に折れ曲がって傾斜している。支持部２は、複数のキャスター３ａ〜ｄが取り付けられた支持脚部４と、この支持脚部４が下端部に接続された支持本体部８と、この支持本体部８の上端部に接続された支持連結部１１とを有している。
【００２６】
支持脚部４は、ほぼ水平方向に広がった“Ｘ”字状の水平脚部５の各先端にキャスター３ａ〜ｄが取り付けられ、水平脚部５の中心から垂直脚部６が上方に伸びている。水平脚部５は、中心の下部に、ペダル７が備えられている。
【００２７】
支持本体部８は、上下方向に長手の筐体に、電源部（図示省略）、制御部（図示省略）、ピストンシリンダー（図示省略）などが内蔵されている。ピストンシリンダーは、例えばガス式、油圧式などであり、支持脚部４のペダル７と連結されている。筐体は、正面側に電源スイッチ９が備えられ、背面側の上端部に、操作部１０が形成されている。
【００２８】
支持連結部１１は、上下方向に長手の垂直連結部１２と、この垂直連結部１２の上端部から、斜め上方かつ前方に向けて伸びた傾斜連結部１３と、この傾斜連結部１３の先端部に取り付けられた連結本体部１４とを有している。連結本体部１４は、筐体に例えばギアモーター（図示省略）が内蔵されている。支持連結部１１は、支持脚部４のペダル７が操作されることによって、支持本体部８のピストンシリンダーが稼働し、支持本体部８に対して上昇する。支持連結部１１は、任意の高さで止められる。
【００２９】
施術本体部１５は、上下方向に長手のほぼ直方体であり、一方の端部である上端部に連結腕部１６を有している。連結腕部１６は、連結本体部１４に連結され、支持連結部１１のギアモーターに接続されている。すなわち、施術本体部１５は、ギアモーターを介して、連結本体部１４に対して回転する。施術本体部１５の回転軸Ｐは、垂直方向に対して傾斜し、垂直方向の軸と回転軸Ｐとは鈍角である。なお、施術本体部１５の長さは、任意である。例えば、施術本体部１５は、上端部が被施術者の頭頂部の近傍に配置され、回転軸Ｐ上に頭部が配置された場合に、施術本体部１５の他方の端部である下端部が、後頭部、首、肩、背中の近傍に配置される程度の長さである。
【００３０】
以下は、施術本体部１５についての詳細な説明である。図２は、施術本体部１５の外観が示され、図３は、施術本体部１５の断面が示されている。
【００３１】
図２および図３に示されているとおり、施術本体部１５は、正面側に開口部１８が形成された本体カバー部１７と、この本体カバー部１７の内側に収容された送風部２０と、開口部１８に取り付けられた赤外線放射部２１、反射部２２および吹出し口２６と、この吹出し口２６の近傍に配置されて風向きを制御する風向板２７と、開口部１８を覆う格子状のガードカバー２８とを有している。
【００３２】
本体カバー部１７は、上下方向に長手のほぼ直方体であり、側面に吸気孔１９が形成されている。開口部１８も、本体カバー部１７の長手方向に沿って上下方向に長手である。ガードカバー２８は、開口部１８の長さに対応して上下方向に長手である。
【００３３】
反射部２２および吹出し口２６は、開口部１８におけるガードカバー２８よりも内側において、互いに隣接して取り付けられている。反射部２２は、開口部１８の長さに対応して上下方向に長手であり、断面が、弧状に湾曲した形状である。反射部２２の凹面２３は、施術本体部１５の外側に向けられ、凸面２４は、施術本体部１５の内側に向けられている。反射部２２は、施術本体部１５の上端部側であって、反射部２２において中心よりも吹出し口２６に近い側の近傍に、通風孔２５が形成されている。なお、通風孔２５の形状および数は任意である。吹出し口２６は、開口部１８の長さに対応して上下方向に長手であり、例えば、ハニカム構造などによる整流器を有している。風向板２７は、開口部１８の長さに対応して上下方向に長手であり、吹出し口２６に対して反射部２２と反対側に取り付けられている。
【００３４】
赤外線放射部２１は、カーボンヒーターであり、開口部１８の長さに対応して上下方向に長手である。赤外線放射部２１は、反射部２２の凹面２３側における中心に配置されている。
【００３５】
送風部２０は、例えばクロスフローファンであり、開口部１８の長さに対応して上下方向に長手である。送風部２０は、反射部２２の凸面２４側において、本体カバー部１７の内側に配置されている。なお、羽の形状や数は任意である。
【００３６】
以下は、反射部２２および赤外線放射部２１の詳細な説明である。図４は、反射部２２の断面であって、この反射部２２における赤外線放射部２１の配置が示されている。
【００３７】
図４に示されているとおり、反射部２２の断面形状は、直交するＹ軸とＺ軸とで表される二次元座標系において、［式１］で表される。なお、図４に示されているとおり、上方から視した場合において、湾曲の度合いが最も大きい箇所を原点とし、反射部２２の幅方向がＹ軸であり、反射部２２の厚み方向にＹ軸と直交する方向がＺ軸である。
【００３８】
［式１］
【数２】
2020044041.tif 000004
【００３９】
ｒ1：曲率半径
ｋ：コーニック係数
Ｃ：１／ｒ1
曲率半径は、ｒ1＝１４から１９
コーニック係数は、ｋ＝−０．４から−０．９
【００４０】
赤外線放射部２１は、例えば、石英ガラスなどで棒状に形成された容器３０に、フィラメント状のカーボンが編み込まれて扁平な薄板状に形成された面源部３１が封入されている。赤外線の放射温度は、例えば、１１００から１４００Ｋであることが好ましい。
【００４１】
赤外線照射部２１と凹面２３との距離は、反射部２３が過剰に加熱されない程度である。赤外線照射部２１の両放射面３２ａ、ｂは、いずれも反射部２２の凹面２３と対面している。すなわち、面源部３１は、Ｚ軸に並行に、かつ、Ｙ軸と直交して配置され、一方の放射面３２ａが、凹面２３における一方の凹内面３３ａと対面し、他方の放射面３２ｂが、凹面２３における他方の凹内面３３ｂと対面している。
【００４２】
以上のとおり、毛髪処理装置１が構成されている。以下は、毛髪処理装置１の動作の説明である。図５は、上方から視した赤外線の照射の様子の概略が示されている。
【００４３】
例えば、図１において、毛髪処理装置１は、被施術者の背面に設置され、連結腕部１６が被施術者の頭部の近傍に配置される。回転軸Ｐ上に頭部が配置され、施術本体部１５が被施術者の後頭部の近傍に配置される。その際、施術本体部１５は、支持脚部４のペダル７が操作されることによって、支持本体部８のピストンシリンダーが稼働し、支持本体部８に対して支持連結部１１と共に昇降する。電源スイッチ９が入れられると、図３において、赤外線放射部２１から赤外線が放射される。同時に、送風部２０が稼働すると、吸気孔１９から吸気され（流路２９ａ）、風が反射部２２の凸面２４に送られる（流路２９ｂ）。凸面２４に当たった風は、反射部２２の熱で極僅かに加温され、熱風ではない状態で、風向板２７に当たって吹出し口２６から放出される（流路２９ｃ、２９ｄ）。風量は、例えば１ｍ3／ｍｉｎある。
【００４４】
図５に示されているとおり、反射部２２における仮想線Ｓから被施術者の頭部Ｈとの間隔は、約５０から３００ｍｍである。ここで、仮想線Ｓは、反射部２２において、被施術者側の端部をとおり、Ｙ軸と平行な線である。赤外線照射部２１の両放射面３２ａ、ｂは、いずれも反射部２２の凹面２３と対面しているため、赤外線は、一方の放射面３２ａが、凹面２３における一方の凹内面３３ａで反射し、他方の放射面３２ｂが、凹面２３における他方の凹内面３３ｂで反射する。反射した赤外線は、後頭部よりも手前において交差し、この交差部Ｃから後頭部に向けて拡散する。赤外線は、照射幅Ｗの範囲で毛髪に照射される。照射幅Ｗは、仮想線Ｓから被施術者の頭部Ｈとの間隔、曲率半径、コーニック係数に基づいて決定される。
【００４５】
反射部２２で反射した赤外線は、毛髪の表面の水分に吸収され、毛髪は、内部に水分が残って潤ったまま、表面の水分のみが気化する。同時に、毛髪は、送風部２０からの風が当たることで、内部の潤いが残ったまま表面のキューティクルが引き締められる。風は、頭髪の表面だけでなく、密集した頭髪をかき分けて、内部の毛髪に届くため、頭髪全体に渡って各毛髪が同様に処理される。すなわち、毛髪は、内部に水分を残しつつ、表面が乾燥することで、様々な施術を行ううえで適切な状態となる。
【００４６】
また、施術本体部１５は、支持本体部８の操作部１０で選択された動作モードに従って、支持部２に対して被施術者の頭部の周囲を回転する。例えば、施術本体部１５のうち、回転中心から最も離れた下端部が、鉛直方向における下端に配置された状態（図１参照。）の回転角を０度とした場合、施術本体部１５は３６０度回転することができる。なお、動作モードを決定するプログラムは任意であるため、施術本体部１５は、任意の回転角において往復運動することもでき、また、回転運動や往復運動をせずに、任意の回転角の位置で停止することもできる。
【００４７】
上記のとおり、毛髪処理装置１が構成されている。以下は、毛髪処理装置１の効果の説明である。
【００４８】
毛髪処理装置１は、フィラメント状のカーボンが編み込まれて扁平な薄板状に形成された面源部３１を有する赤外線放射部２１が、Ｚ軸に並行に、かつ、Ｙ軸と直交して配置され、一方の放射面３２ａが、凹面２３における一方の凹内面３３ａと対面し、他方の放射面３２ｂが、凹面２３における他方の凹内面３３ｂと対面している（図４参照）。すなわち、扁平な赤外線照射部は、両放射面３２ａ、ｂがいずれも凹面２３と対面しているため、両放射面３２ａ、ｂから放射されたほとんどの赤外線は、凹面２３で反射する。特に、予め赤外線の反射角などを計算し、上記した［式１］に則って反射部の曲面を設計することで、赤外線を所望の方向に集光させてネルギー分布を制御することができる。したがって、赤外線のエネルギー分布を所望の状態にすることができ、赤外線を効果的に毛髪に照射することができる。
【００４９】
また、ほとんどの赤外線が凹面２３で反射するため、換言すれば、凹面２３を経ずに放射される赤外線の量が僅かである。すなわち、反射部２２の縁近傍において、凹面２３を経ずに放射される赤外線が僅かであれば、反射部２２の縁近傍に配置されたガードカバー２８などの部材に直接照射される赤外線も僅かであるため、ガードカバー２８などへの熱の影響を抑えることができる。
【００５０】
毛髪処理装置１では、凹面２３で反射した赤外線が、頭部Ｈよりも手前において交差し、この交差部Ｃから頭部Ｈに向けて拡散する（図５参照）。この構成により、交差部Ｃよりも頭部Ｈ側に向けた赤外線の反射範囲を、反射部２２の幅よりも広くすることができる。したがって、照射範囲に関わらず反射部２２の小型化が実現する。
【００５１】
特に、反射部２２における仮想線Ｓから被施術者の頭部Ｈとの間隔を、約５０から３００ｍｍ、曲率半径を、ｒ1＝１４から１９、コーニック係数を、ｋ＝−０．４から−０．９の間でそれぞれ調節することで、毛髪に照射される赤外線の照射幅Ｗを任意に設定することができる。具体的には、照射幅Ｗを、頭部Ｈの中心から両幅方向に向けてそれぞれ６５ｍｍ（照射幅Ｗ＝１３０ｍｍ）まで調節することができ、この範囲において赤外線のエネルギー分布を所望の状態にすることができ、赤外線を効果的に毛髪に照射することができる。このように、赤外線のエネルギー分布や照射範囲を選択することができるため、施術に応じた適切な加温や毛髪の乾燥状態を実現することができる。
【００５２】
施術本体部１５は、支持連結部１１のギアモーターを介して、連結本体部１４に対して、被施術者の頭部の周囲を回転する。したがって、毛髪処理装置１は、頭髪の全体に赤外線を斑なく照射することができる。
【００５３】
施術本体部１５は、上下方向に長手であり、この施術本体部１５の上端部の連結腕部１６が、支持部２の連結本体部１４に連結されている。したがって、毛髪処理装置１は、長髪に対して斑なく赤外線を照射することができる。
【００５４】
施術本体部１５は、開口部１８に、凹面２３側が外側に向けられた反射部２２、および、送風部２０から毛髪に向けて送風される風が通る吹出し口２６が備えられている。この構成によって、反射部２２で反射した赤外線と、送風部２０からの風とが、共通の排出口である開口部１８を通って放出される。したがって、毛髪処理装置１は、赤外線と風とを別々に一か所から毛髪に向けて放出することができる。
【００５５】
以下は、本発明の実施例の説明である。図６は、毛髪処理装置１における赤外線の分布が示されている。なお、図６におけるＹ軸は、図４と同様であり、Ｘ軸は、赤外線放射部２１の長手方向である。原点は、赤外線放射部２１の中心であり、かつ、赤外線放射部２１の長手方向における中央である。
【００５６】
仮想線Ｓと頭部Ｈとの間隔を約１５０ｍｍとし、後頭部に接する仮想平面において赤外線の放射照度を計算した。図６に示されているとおり、Ｙ軸およびＸ軸における赤外線放射照度の分布は、仮想平面において、照射幅Ｗが１３０ｍｍの範囲で効率よく照射されていることがわかる。
【００５７】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５８】
１              毛髪処理装置
２              支持部
３ａ〜３ｄ      キャスター
４              支持脚部
５              水平脚部
６              垂直脚部
７              ペダル
８              支持本体部
９              電源スイッチ
１０            操作部
１１            支持連結部
１２            垂直連結部
１３            傾斜連結部
１４            連結本体部
１５            施術本体部
１６            連結腕部
１７            本体カバー部
１８            開口部
１９            吸気孔
２０            送風部
２１            赤外線放射部
２２            反射部
２３            凹面
２４            凸面
２５            通風孔
２６            吹出し口
２７            風向板
２８            ガードカバー
２９ａ〜２９ｄ  流路
３０            容器
３１            面源部
３２ａ、ｂ      放射面
３３ａ、ｂ      凹内面
Ｃ              交差部
Ｈ              頭部
Ｐ              回転軸
Ｓ              仮想線
Ｗ              照射幅
【図１】
2020044041.tif 000006
【図２】
2020044041.tif 000007
【図３】
2020044041.tif 000008
【図４】
2020044041.tif 000009
【図５】
2020044041.tif 000010
【図６】
2020044041.tif 000011